(57)【要約】【課題】水の浸入を防止することのできるシンク用止水材を提供すること。【解決手段】カウンター２の天板２１の開口部２２に組み付けられるシンク３の止水に用いられるシンク用止水材１であって、シンク３の開口部３４のフランジ部周縁３３２を覆う本体部１１と、本体部１１に形成され、フランジ部周縁３３２が挿入されて係合するフランジ溝部１３と、本体部１１の上面から延出し、カウンター２の天板２１に当接する第１延出部１２と、を備えるシンク用止水材１である。【選択図】図２
2015117463.tif 000002
【特許請求の範囲】
【請求項１】
カウンターの天板の開口部に組み付けられるシンクの止水に用いられるシンク用止水材であって、
前記シンクの開口部のフランジ部周縁を覆う本体部と、
前記本体部に形成され、前記フランジ部周縁が挿入されて係合するフランジ溝部と、
前記本体部の上面から延出し、前記カウンターの天板に当接する第１延出部と、を備えるシンク用止水材。
【請求項２】
前記本体部は、環状の弾性部材で構成され、
前記第１延出部は、弾性部材で構成され且つ前記本体部の全周に亘って形成されている請求項１に記載のシンク用止水材。
【請求項３】
前記本体部の下面から延出する第２延出部をさらに備え、
前記第２延出部は、前記本体部の全周に亘って形成されるとともに、その内側面に周方向に延びるリブを有する請求項１又は２に記載のシンク用止水材。
【請求項４】
前記フランジ溝部は、奥側ほど幅が広い請求項１から３いずれかに記載のシンク用止水材。
【請求項５】
前記第１延出部は、前記本体部の上面から垂直に延びて形成される請求項１から４いずれかに記載のシンク用止水材。
【請求項６】
前記第１延出部は、屈曲部を有する請求項１から５いずれかに記載のシンク用止水材。
【請求項７】
カウンターの天板の開口部に組み付けられるシンクの止水構造であって、
前記シンクは、その開口部のフランジ部の上面が前記カウンターの天板の開口部近傍の下面に接着剤で接着されて組み付けられ、
前記シンクの開口部のフランジ部周縁には、請求項１〜６に記載のシンク用止水材が取り付けられるシンクの止水構造。
【請求項８】
前記カウンターの天板の開口部近傍の下面には、前記接着剤が充填される接着溝部が形成されている請求項７に記載のシンクの止水構造。
【請求項９】
前記カウンターの天板は、人造大理石で構成され、
前記シンクは、金属で構成され、
前記接着剤は、シリコン接着剤である請求項７又は８に記載のシンクの止水構造。
【発明の詳細な説明】
【技術分野】
【０００１】
本発明は、シンク用止水材及びこれを用いたシンクの止水構造に関する。詳細には、カウンターにシンクを取り付ける際に、カウンターとシンクとの取り付け部分に配置されるシンク用止水材及びこれを用いたシンクの止水構造に関する。
【背景技術】
【０００２】
従来、台所等に配置されるシンクをカウンターに取り付ける際、シンクのフランジ部とカウンターとが接する箇所には、接着剤を塗布することで、隙間が生じることを防止している（例えば、特許文献１参照）。
【先行技術文献】
【特許文献】
【０００３】
【特許文献１】特開２００１−２５４４１９号公報
【発明の概要】
【発明が解決しようとする課題】
【０００４】
ところで、カウンター及びシンクは、通常異なる素材で構成され、互いに線膨張係数が異なる。このため、接着剤としては追従性及び柔軟性のあるシリコン接着剤が好ましく用いられる。しかしながら、シリコン接着剤によっても十分な接着性が得られない場合があり、接着剤が剥離した場合には、カウンターとシンクとの間に隙間が生じ、水が浸入する恐れがあった。
【０００５】
本発明は、水の浸入を確実に防止することのできるシンク用止水材を提供することを目的とする。
【課題を解決するための手段】
【０００６】
（１）  上記目的を達成するため本発明は、カウンター（例えば、後述のカウンター２）の天板（例えば、後述の天板２１）の開口部（例えば、後述の開口部２２）に組み付けられるシンク（例えば、後述のシンク３）の止水に用いられるシンク用止水材（例えば、後述のシンク用止水材１）であって、シンクの開口部（例えば、後述の開口部３４）のフランジ部周縁（例えば、後述のフランジ部周縁３３２）を覆う本体部（例えば、後述の本体部１１）と、前記本体部に形成され、前記フランジ部周縁が挿入されて係合するフランジ溝部（例えば、後述のフランジ溝部１３）と、前記本体部の上面から延出し、前記カウンターの天板に当接する第１延出部（例えば、後述の第１延出部１２）と、を備えるシンク用止水材を提供する。
【０００７】
本発明では、カウンターの天板の開口部に組み付けられるシンクの止水に用いられるシンク用止水材を、シンクの開口部のフランジ部周縁を覆う本体部と、本体部に形成され、フランジ部周縁が挿入されて係合するフランジ溝部と、本体部の上面から延出し、カウンターの天板に当接する第１延出部と、を含んで構成する。
これにより、例えばカウンターとシンクとの間に隙間が生じた場合であっても、シンクのフランジ部周縁がシンク用止水材の本体部により覆われているため、フランジ部を伝う水滴を止水できる。また、第１延出部がカウンターの天板に当接するため、カウンターを伝う水滴を第１延出部により止水することができる。したがって、本発明のシンク用止水材によれば、カウンター天板の裏側に設けられた木質基材への水の浸入を確実に防止することができる。ひいては、水の浸入によるカウンターキャビネットの膨張及び破損を抑制できる。
【０００８】
（２）  前記本体部は、環状の弾性部材で構成され、前記第１延出部は、弾性部材で構成され且つ前記本体部の全周に亘って形成されていることが好ましい。
【０００９】
この発明では、本体部を環状の弾性部材で構成し、第１延出部を、弾性部材で構成し且つ本体部の全周に亘って形成する。
これにより、フランジ部を伝う水滴を止水する本体部及びカウンターを伝う水滴を止水する第１延出部が、環状の弾性部材で形成されるため、シンクの全周に亘って水の浸入を確実に防止することができる。
【００１０】
（３）  前記本体部の下面から延出する第２延出部（例えば、後述の第２延出部１１４）をさらに備え、前記第２延出部は、前記本体部の全周に亘って形成されるとともに、その内側面に周方向に延びるリブ（例えば、後述のリブ１１５）を有することが好ましい。
【００１１】
本発明では、本体部の下面から延出する第２延出部をさらに含んで構成し、第２延出部を、本体部の全周に亘って形成する。また、第２延出部の内側面に周方向に延びるリブを含んで構成する。
これにより、本体部に形成されたフランジ溝部を開きやすくなるとともに、リブを触ることで本体部の端部を触知することができるため、シンク用止水材の取り付け作業が容易になる。
【００１２】
（４）  前記フランジ溝部は、奥側ほど幅が広いことが好ましい。
【００１３】
本発明では、フランジ溝部を、奥側ほど幅を広く形成する。このため、シンクのフランジ部周縁は、フランジ溝部の手前側（入口側）の幅の狭い部分によりしっかりと支持される。よって、水の浸入を確実に防止することができる。
【００１４】
（５）  前記第１延出部は、前記本体部の上面から垂直に延びて形成されることが好ましい。
【００１５】
この発明では、第１延出部を、本体部の上面から垂直に延びるように形成する。これにより、第１延出部がカウンターの天板の下面に当接することで、水の浸入を防ぐ防護壁として機能し、確実に止水できる。また、第１延出部が弾性部材で構成される場合には、第１延出部がカウンターの天板の下面に当接して変形することで、天板の下面を押圧する方向に付勢力が作用する結果、より確実に止水できる。
【００１６】
（６）  前記第１延出部は、屈曲部（例えば、後述の先端側屈曲部１２１，基端側屈曲部１２２，中央側屈曲部１２３，当接部屈曲部１２ｃ）を有することが好ましい。
【００１７】
この発明では、第１延出部を、屈曲部を含んで構成する。これにより、第１延出部がカウンターの天板の下面に当接することで、水の浸入を防ぐ防護壁として機能し、確実に止水できる。また、第１延出部が弾性部材で構成される場合には、第１延出部がカウンターの天板の下面に当接して変形することで、天板の下面を押圧する方向に付勢力が作用する結果、より確実に止水できる。
【００１８】
（７）  カウンターの天板の開口部に組み付けられるシンクの止水構造であって、前記シンクは、その開口部のフランジ部の上面が前記カウンターの天板の開口部近傍の下面に接着剤（例えば、後述の接着剤９）で接着されて組み付けられ、前記シンクの開口部のフランジ部周縁には、（１）〜（６）に記載のシンク用止水材が取り付けられるシンクの止水構造が好ましい。
【００１９】
この発明では、カウンターの天板の開口部に組み付けられるシンクの止水構造において、シンクの開口部のフランジ部の上面をカウンターの天板の開口部近傍の下面に接着剤で接着して組み付け、シンクの開口部のフランジ部周縁に、（１）〜（６）に記載のシンク用止水材を取り付ける。
これにより、カウンターとシンクとは、接着剤によっても接合され、より密着して接合される。また、万が一、接着剤が剥離したり、接着剤とフランジ部又はカウンターの間に隙間が生じるようなことがあっても、シンク用止水材により止水されるため、水がカウンターの内奥まで侵入することが防止される。
【００２０】
（８）  前記カウンターの天板の開口部近傍の下面には、前記接着剤が充填される接着溝部（例えば、後述の接着溝部２３）が形成されていることが好ましい。
【００２１】
この発明では、カウンターの天板の開口部近傍の下面に、接着剤が充填される接着溝部を形成する。これにより、接着溝部の周辺よりも接着溝部の内部により多くの接着剤が充填される。したがって、カウンターの天板の開口部近傍の下面における接着剤の追従性が向上する結果、カウンターとシンクをより強力に接合でき、従来よりも接着剤の厚みを薄くできる。
【００２２】
（９）  前記カウンターの天板は、人造大理石で構成され、前記シンクは、金属で構成され、前記接着剤は、シリコン接着剤であることが好ましい。
【００２３】
この発明では、カウンターとシンクとを異なる材質により構成する。このような場合でも、シリコン接着剤が異なる膨張係数を有する材質に対応して伸びるため、シンクがカウンターに良好に接着され、水の浸入を防止できる。
【発明の効果】
【００２４】
本発明によれば、水の浸入を確実に防止することのできるシンク用止水材を提供することができる。
【図面の簡単な説明】
【００２５】
【図１】本発明のシンク用止水材が設けられるシンク及びカウンターを示す斜視図である。
【図２】第１実施形態のシンク用止水材が設けられたシンク及びカウンターの断面概略図である。
【図３】第１実施形態に係るシンク用止水材の断面図である。
【図４】第２実施形態に係るシンク用止水材の断面図である。
【図５】第３実施形態に係るシンク用止水材の断面図である。
【図６】第４実施形態に係るシンク用止水材の断面図である。
【発明を実施するための形態】
【００２６】
以下、本発明の第１実施形態について図面を参照しながら詳しく説明する。
図１は、第１実施形態のシンク用止水材１が設けられるシンク３及びカウンター２を示す斜視図である。図２は、シンク用止水材１が設けられたシンク３及びカウンター２の断面概略図である。
【００２７】
図１及び図２に示すように、カウンター２は、天板２１と、開口部２２と、開口縁２２ａと、接着溝部２３（図２参照）と、を有する。
天板２１は、平坦な板状の部材である。開口部２２は、天板２１に形成された貫通孔である。開口縁２２ａは、開口部２２の端縁である。接着溝部２３は、天板２１の下面側に、開口縁２２ａからカウンター２の内側で開口部２２の周囲に沿って形成されている。カウンター２の天板２１は、例えば人造大理石で構成されている。
【００２８】
シンク３は、上部が開口した凹形状を有し、開口部３４と、底面部３１と、側壁部３２と、フランジ部３３と、を有する。
開口部３４は、シンク３の上方に位置している。底面部３１は、カウンター２の開口部２２の下方に配置される。底面部３１には排水孔４が形成されている。側壁部３２は、底面部３１の周囲から開口部３４に向かって起立する。
フランジ部３３は、開口部３４の周縁に沿って、側壁部３２の上端から外側に延出する。フランジ部３３は、平坦部３３１と、フランジ部周縁３３２と、を有する。
平坦部３３１は、側壁部の上端から略水平方向に平坦に延びる。
フランジ部周縁３３２は、フランジ部３３の外周の端部である。フランジ部周縁３３２は、平坦部３３１から連続し、先端側が下方に反るように屈曲している。
【００２９】
シンク３は、図２に示すように、フランジ部３３における平坦部３３１の上面と、カウンター２の接着溝部２３及び開口部２２近傍の下面との間に、シリコン接着剤９を充填して、カウンター２に接合されている。また、シンク３は、カウンター２の下方に配置される基材５に、支持部材６を介して固定されている。詳細には、基材５は天板２１の下面側に配置され、この基材５に下側から上方に向かって延びる支持部材６がビス６１により固定されている。支持部材６の上端部は、基材５から開口縁２２ａ側に延び、フランジ部３３の平坦部３３１を下側から支持している。
シンク３は、金属、例えばステンレススチール（ＳＵＳ）で構成されている。
【００３０】
シンク用止水材１は、シンク３のフランジ部周縁３３２に沿って配置される。シンク用止水材１は、環状の弾性部材で構成され、例えば、ゴムで形成されている。
【００３１】
図３は、本実施形態のシンク用止水材１の断面図である。図３に示すように、シンク用止水材１は、本体部１１と、フランジ溝部１３と、第１延出部１２と、第２延出部１１４と、を備える。
【００３２】
本体部１１は、平面視で環状に形成され、断面視で略コの字形状を有しており、本体上面部１１１と、本体下面部１１２と、接続部１１３と、を有する。
【００３３】
本体上面部１１１は、シンク用止水材１がシンク３に取り付けられる際に、フランジ部３３の上面側に当接する部分である。本体上面部１１１は、基部１１１ａと、傾斜部１１１ｂと、を有する。基部１１１ａは、本体部１１のコの字における閉端部側で、同じ厚みで形成される平坦な部分である。傾斜部１１１ｂは、本体部１１のコの字における端部側に形成される。傾斜部１１１ｂは、フランジ部３３に当接する内側面が、図３に示すように断面視で直線状に延びており、外側面が先端部に向かって細くなるように傾斜している。
【００３４】
本体下面部１１２は、シンク用止水材１がシンク３に取り付けられる際に、フランジ部３３の下面側に当接する部分である。本体下面部１１２は、本体上面部１１１と向かい合っており、コの字の閉端部側では本体上面部１１１と平行に延びている。
【００３５】
接続部１１３は、本体上面部１１１及び本体下面部１１２を接続する部分であり、コの字の閉端部を構成する。接続部１１３において、フランジ部３３の端部に当接する部分の寸法は、フランジ部３３の厚さ寸法に対応している。
【００３６】
フランジ溝部１３は、本体部１１に形成される凹部である。フランジ溝部１３は、本体上面部１１１と、本体下面部１１２と、接続部１１３それぞれの内側面により形成されている。フランジ溝部１３には、シンク用止水材１がシンク３に取り付けられる際に、シンクのフランジ部周縁３３２が挿入される。
【００３７】
第１延出部１２は、本体部１１の上面から上方に所定の高さ延出する部分である。第１延出部１２は、本体上面部１１１及び本体下面部１１２よりも薄い平板状の部分が、第１延出部１２に対して略垂直方向に延出して形成される。第１延出部１２は、環状の本体部１１の全周に亘って形成されている。
【００３８】
第２延出部１１４は、本体部１１における本体下面部１１２から屈曲して下方に延出している。第２延出部１１４は、本体部１１の全周に亘って形成されている。
【００３９】
リブ１１５は、第２延出部１１４の内側面（本体上面部１１１側の面）に形成される突起である。
【００４０】
図２に戻って、第１実施形態におけるシンク用止水材１を用いたシンク３の止水構造について説明する。
シンク３のフランジ部３３のフランジ部周縁３３２は、シンク用止水材１のフランジ溝部１３に挿入され、カウンター２の開口部２２近傍の下面に配置されている。フランジ部周縁３３２が下方に向かって屈曲しているため、フランジ部周縁３３２がフランジ溝部１３に挿入されると、本体部１１の本体上面部１１１がカウンター２の下面に当接して屈曲する。ここで、本体上面部１１１の先端側には傾斜部１１１ｂが形成されているため、傾斜部１１１ｂの上面がカウンター２の下面に沿って当接される。
【００４１】
第１延出部１２は、フランジ部３３から外側、すなわちカウンター２の奥側に向かって折れ曲がり、天板２１の下面に当接する。第１延出部１２は、シンク用止水材１をフランジ部３３に取り付ける前は、本体部１１に対して略垂直に延びるように形成されている。このため、第１延出部１２が天板２１の下面に当接する状態では、もとの状態に戻ろうとする力が加わり、第１延出部１２は天板２１の下面を押圧する付勢力が作用する。
【００４２】
本体部１１の本体上面部１１１における傾斜部１１１ｂの先端からカウンター２の開口縁２２ａまでの間、フランジ部３３の平坦部３３１の上面とカウンター２の下面における開口部２２の近傍には、接着剤９が充填されている。特に、カウンター２の下面の接着溝部２３では、開口部２２の近傍と比べて、接着溝部２３が形成されている分、接着剤９は厚く充填されている。接着溝部２３に接着剤９が厚く充填されるため、人造大理石で形成されるカウンター２及びステンレススチールで形成されるシンク３を接着する場合でも、接着剤９の伸び量が大きくなり、それぞれの素材が膨張しても接着剤９が追従する。
【００４３】
フランジ部３３とカウンター２の開口縁２２ａとの間は、上述の通り接着剤９で封止されているので、水が内部に入らないように形成されている。仮に接着剤９が剥離し、接着剤９とフランジ部３３又はカウンター２との間に隙間が生じ、この隙間に水が浸入するようなことがあったとしても、水は本体部１１に止水される。また、水が本体部１１の本体上面部１１１とカウンター２の下面の間に侵入した場合でも、第１延出部１２が天板２１の下面を押圧するように配置されているので、水は、第１延出部１２で止水される。
【００４４】
以上の構成を備える第１実施形態に係るシンク用止水材１及びこれを用いたシンク３の止水構造によれば、以下の効果が奏される。
【００４５】
第１実施形態では、カウンター２の天板２１の開口部２２に組み付けられるシンク３の止水に用いられるシンク用止水材１を、シンク３の開口部３４のフランジ部周縁３３２を覆う本体部１１と、本体部１１に形成され、フランジ部周縁３３２が挿入されて係合するフランジ溝部１３と、本体部１１の上面から延出し、カウンター２の天板２１に当接する第１延出部１２と、を含んで構成した。
これにより、例えばカウンター２とシンク３との間に隙間が生じた場合であっても、シンク３のフランジ部周縁３３２がシンク用止水材１の本体部１１により覆われているため、フランジ部３３を伝う水滴を止水できる。また、第１延出部１２がカウンター２の天板２１に当接するため、カウンター２を伝う水滴を第１延出部１２により止水することができる。したがって、本発明のシンク用止水材によれば、カウンター２の天板２１の裏側に設けられた木質基材への水の浸入を確実に防止することができる。ひいては、水の浸入によるカウンターキャビネットの膨張及び破損を抑制できる。
【００４６】
また、第１実施形態では、本体部１１を環状の弾性部材で構成し、第１延出部１２を弾性部材で構成し且つ本体部１１の全周に亘って形成した。
これにより、フランジ部を伝う水滴を止水する本体部及びカウンターを伝う水滴を止水する第１延出部が、環状の弾性部材で形成されるため、シンクの全周に亘って水の浸入を確実に防止することができる。
【００４７】
また、第１実施形態では、第１延出部１２を、本体部１１の上面から垂直に延びるように形成した。
これにより、第１延出部１２がカウンター２の天板２１の下面に当接することで、水の浸入を防ぐ防護壁として機能し、確実に止水できる。また、第１延出部１２が弾性部材で構成される場合には、第１延出部１２がカウンター２の天板２１の下面に当接して変形することで、天板２１の下面を押圧する方向に付勢力が作用する結果、より確実に止水できる。
【００４８】
また、第１実施形態では、本体部１１の下面から延出する第２延出部１１４をさらに含んで構成し、第２延出部１１４を、本体部１１の全周に亘って形成した。また、第２延出部１１４の内側面に周方向に延びるリブ１１５を含んで構成した。これにより、本体部１１に形成されたフランジ溝部１３を開きやすくなるとともに、リブ１１５を触ることで本体部１１の端部を触知することができるため、シンク用止水材１の取り付け作業が容易になる。
【００４９】
また、第１実施形態では、カウンター２の天板２１の開口部に組み付けられるシンク３の止水構造において、シンク３の開口部３４のフランジ部３３の上面をカウンター２の天板２１の開口部２２近傍の下面に接着剤９で接着して組み付け、シンク３の開口部３４のフランジ部周縁３３２に、シンク用止水材１を取り付けた。
これにより、カウンター２とシンク３とは、接着剤９によっても接合され、より密着して接合される。また、万が一、接着剤９が剥離したり、接着剤９とフランジ部３３又はカウンター２の間に隙間が生じるようなことがあっても、シンク用止水材１により止水されるため、水がカウンターの内奥まで侵入することが防止される。
【００５０】
また、第１実施形態では、カウンター２の天板２１の開口部２２近傍の下面に、接着剤９が充填される接着溝部２３を形成した。これにより、接着溝部２３の周辺よりも接着溝部２３の内部により多くの接着剤９が充填される。したがって、カウンター２の天板２１の開口部２２近傍の下面における接着剤９の追従性が向上する結果、カウンター２とシンク３をより強力に接合でき、従来よりも接着剤の厚みを薄くできる。
【００５１】
また、第１実施形態では、カウンター２とシンク３とを異なる材質により構成した。このような場合でも、シリコン接着剤９が異なる膨張係数を有する材質にそれぞれ対応して伸びるため、シンク３がカウンター２に良好に接着され、水の浸入を防止できる。
【００５２】
次に、図４〜６を参照して、第２実施形態〜第４実施形態に係るシンク用止水材１Ａ〜１Ｃについて説明する。図４〜６において、第１実施形態と同一の構成については同一の符号を用いる。
【００５３】
図４は第２実施形態に係るシンク用止水材１Ａを示す。第２実施形態では、主にフランジ溝部１３の幅は、奥側ほど幅が広くなっている点で第１実施形態と異なっている。すなわち、本体部１１における本体上面部１１１及び本体下面部１１２との間隔が、接続部１１３から本体部１１の端部側に向かって徐々に狭くなっている。
【００５４】
また、第１延出部１２は、接続部１１３側（カウンター２の奥側）に向かって屈曲する屈曲部としての先端側屈曲部１２１を有する。先端側屈曲部１２１は、第１延出部１２の先端が、略９０度屈曲して形成されている。
【００５５】
以上の構成を備える第２実施形態に係るシンク用止水材１Ａによれば、以下の効果が奏される。
第２実施形態では、フランジ溝部１３を、奥側ほど幅を広く形成した。このため、シンクのフランジ部周縁は、フランジ溝部の手前側（入口側）の幅の狭い部分によりしっかりと支持される。よって、水の浸入を確実に防止することができる。
【００５６】
また、第２実施形態では、第１延出部１２を、先端側屈曲部１２１を含んで構成した。これにより、第１延出部の把持が容易になり作業性が向上する。
【００５７】
図５は第３実施形態に係るシンク用止水材１Ｂを示す。第３実施形態では、第１延出部１２が、屈曲部としての基端側屈曲部１２２及び中央側屈曲部１２３を有する点で上記の実施形態と異なっている。
【００５８】
基端側屈曲部１２２は、第１延出部１２の基端側で奥側（接続部１１３側）に向かって傾斜するように屈曲している。第１延出部１２の基端側と本体上面部１１１との角度θ１は、断面視で４０度〜６０度である。
中央側屈曲部１２３は、第１延出部１２の高さ方向における中央部において、本体部１１の手前側（カウンター２の開口部２２側）に向かって屈曲している。第１延出部１２の中央部における本体部１１の手前側の角度θ２は、８５度〜９５度である。
このため、シンク３をカウンター２に取り付ける際、本体部１１の端部側へ向いた第１延出部１２を反対側の接続部１１３側に折り曲げて天板２１の下面に当接させることとなり、上記の実施形態と比べて天板２１の下面を押圧する力が大きくなる。
【００５９】
なお、第３実施形態では、第２実施形態と同様に、フランジ溝部１３の奥側ほど幅が広く形成されており、本体上面部１１１及び本体下面部１１２との間隔が、奥側から本体部１１の手前側に向かって徐々に狭く形成されている。
【００６０】
以上の構成を備える第３実施形態に係るシンク用止水材１Ｂによれば、以下の効果が奏される。
【００６１】
第３実施形態では、第１延出部１２を、基端側屈曲部１２２及び中央側屈曲部１２３を含んで構成した。
これにより、第１延出部１２がカウンター２の天板２１の下面に当接することで、水の浸入を防ぐ防護壁として機能し、確実に止水できる。また、第１延出部１２が弾性部材で構成される場合には、第１延出部１２がカウンター２の天板２１の下面に当接して変形することで、天板２１の下面を押圧する方向に付勢力が作用する結果、より確実に止水できる。
【００６２】
図６は第４実施形態に係るシンク用止水材１Ｃを示す。第４実施形態では、第１延出部１２が、当接部１２ａと、当接部支持部１２ｂと、当接部１２ａ及び当接部支持部１２ｂを接続する当接部屈曲部１２ｃと、を有する点で上記の実施形態と異なる。第４実施形態における第１延出部は、断面視で略三角形に形成され、内部が中空になっている。
当接部１２ａは、本体部１１の本体上面部１１１から接続部１１３側に傾斜している。
当接部支持部１２ｂは、本体部１１の接続部１１３から当接部１２ａの上端に連続し、傾斜した当接部１２ａを支持している。
当接部屈曲部１２ｃは、当接部１２ａから当接部支持部１２ｂへ連続して屈曲する部分である。
【００６３】
第４実施形態では、シンク３をカウンター２に取り付ける際、天板２１の下面から当接部１２ａを下方に対して押す力に対向して、当接部支持部１２ｂが当接部１２ａをカウンター２の下面に押圧する。これにより、当接部１２ａとカウンター２とがより密着する。
【００６４】
なお、本発明は上記実施形態に限定されず、本発明の要旨を逸脱しない範囲で各種変更が可能であることは言うまでもない。
例えば、上記実施形態において本体部１１は、第２延出部１１４を有するが、第２延出部１１４を有さずともよい。すなわち、本体上面部１１１及び本体下面部１１２が、接続部１１３から本体部１１の端部まで、平行して延びていてもよい。
【符号の説明】
【００６５】
１  シンク用止水材
２  カウンター
３  シンク
９  接着剤
１１  本体部
１２  第１延出部
１２ｃ  当接部屈曲部（屈曲部）
１３  フランジ溝部
２１  天板
２３  接着溝部
３４  開口部
１１４  第２延出部
１１５  リブ１１５
１２１  先端側屈曲部（屈曲部）
１２２  基端側屈曲部（屈曲部）
１２３  中央側屈曲部（屈曲部）
３３２  フランジ部周縁
【図１】
2015117463.tif 000003
【図２】
2015117463.tif 000004
【図３】
2015117463.tif 000005
【図４】
2015117463.tif 000006
【図５】
2015117463.tif 000007
【図６】
2015117463.tif 000008